(57)【特許請求の範囲】
【請求項１】
凹状で底部に排水口を備え、冷却器の下方に配設されて除霜水を受ける樋を有し、該樋の底部と前記冷却器との間に、底板の幅が前記樋の底部の幅より広く前記排水口の投影部を除く領域に複数の通気穴が設けられた上樋を前記樋の底部との間に空間部を介して配設したことを特徴とする冷蔵庫。
【請求項２】
前記上樋の排水口の投影部及びその周辺に断面円弧状の凸部を形成し、該凸部より低い位置に複数の通気穴を設けたことを特徴とする請求項１記載の冷蔵庫。
【請求項３】
前記通気穴を２〜８個設けると共に、これら通気穴の合計面積を排気口の面積とほぼ等しく形成したことを特徴とする請求項１又は２記載の冷蔵庫。
【請求項４】
凹状で底部に排水口を備え、冷却器の下方に配設されて除霜水を受ける樋を有し、該樋の底部と前記冷却器との間に、底板と周壁とからなり、該底板の前記排水口の面積より大きい範囲を切り起して前記周壁との間に開口部を形成すると共に、前記底板の排水口の投影部を除く領域に少なくとも１個の通気穴が設けられた上樋を前記樋の底部との間に空間部を介して配設したことを特徴とする冷蔵庫。
【請求項５】
凹状で底部に排水口を備え、冷却器の下方に配設されて霜取り水を受ける樋を有し、該樋の排水口及びその周辺上に、前記排水口の面積より大きいほぼ四角形の天板と周壁からなり、前記天板の前記排水口の投影部を除く領域に複数の通気穴を設けると共に、前記周壁の下端部に周壁通気穴が設けられたほぼ箱状の蓋部材を配設したことを特徴とする冷蔵庫。
【請求項６】
前記ほぼ箱状の蓋部材に代えて、下部が前記排水口の面積より大きい四角形で上部がほぼ半球状に形成され、下端部に複数の周壁通気穴が設けられた断面ほぼ円弧状の蓋部材を配設したことを特徴とする請求項５記載の冷蔵庫。
【請求項７】
凹状で底部に排水口を備え、冷却器の下方に配設されて霜取水を受ける樋を有し、前記樋の底部と前記冷却器との間に、前記排水口の面積より大きい面積の円板状の傘板及びストッパを有し該傘板の下面に取付けられた支持板とからなり、該支持板を前記排水口に挿入し、該排水口と前記傘板との間に所定の間隔を隔てて立設された傘部材を配設したことを特徴とする冷蔵庫。
【請求項８】
前記傘板をほぼ半円状に形成し、ストッパを有する支持板と一体に構成したことを特徴とする請求項７記載の冷蔵庫。
【発明の詳細な説明】
【０００１】
【発明の属する技術分野】
本発明は、冷気強制循環式の冷蔵庫に係り、さらに詳しくは、霜取り時に発生する水を受ける水受けトレイを備えた冷蔵庫に関するものである。
【０００２】
【従来の技術】
図１７は従来の冷気強制循環式冷蔵庫の一例の冷却器室周辺の模式図である。図において１は冷蔵庫本体、２は冷蔵室、４は冷蔵室２の上部に設けた冷凍室である。６は冷凍室４の奥に設けた仕切り板７によって仕切られた冷却器室で、縦置きに設置された冷却器８、冷却器８などに付着した霜を除霜するガラス管霜取りヒータ１０が設けられている。
【０００３】
１３は例えばステンレス鋼板を曲げ加工し、あるいは合成樹脂成形品に金属箔を貼り付けるなどして形成された樋、３０は樋１３の排水口１３ａに接続され、樋１３から流れた霜取水を冷蔵庫本体１の底部に設けた蒸発皿３１へ排水する排水管である。なお、この排水管３０は合成樹脂で形成されており、蒸発皿３１との間に若干の間隔を設けて取付けられてその先端開口部は直接外気に触れている。
【０００４】
上記のような冷蔵庫において、冷却器８の上方に設けられている送風機（図示せず）により、冷却器室６内の冷気が冷蔵室２内に送られると同時に、排水管３０の先端開口部から侵入した冷蔵庫本体１外の外気３２（以下暖気という）が、排水管３０内を自然に上昇して冷却室６内に侵入し、冷却されている冷却器８及び冷却器室６に着霜する。
【０００５】
冷却器８及び冷却器室６に付着した霜は、一定時間ごとに通電されるガラス管霜取りヒータ１０の熱により解かされて除霜水となり、樋１３をつたわって排水管３０に流入し、蒸発皿３１に排水される。そして、排水管３０には再び冷蔵庫本体１外の暖気３２が侵入する。
【０００６】
【発明が解決しようとする課題】
従来の冷蔵庫は上記のように構成されているので、冷蔵庫の扉（図示せず）の開閉に拘わらず、常時冷蔵庫外の暖気３２が排水管３０を介して冷却器室６内に直接侵入するため、冷却効率を損ねるという問題があった。
【０００７】
本発明は、上記の課題を解決するためになされたもので、冷却器室への暖気の侵入を阻止して効率的な冷却を行うことのできる冷蔵庫を得ることを目的としたものである。
【０００８】
【課題を解決するための手段】
本発明に係る冷蔵庫は、凹状で底部に排水口を備え、冷却器の下方に配設されて除霜水を受ける樋を有し、該樋の底部と前記冷却器との間に、底部の幅が前記樋の底部の幅より広く前記排水口の投影部を除く領域に複数の通気穴が設けられた上樋を前記樋の底部との間に空間部を介して配設したものである。
【０００９】
また、上記の上樋の排水口の投影部及びその周辺に断面円弧状の凸部を形成し、該凸部より低い位置に複数の通気穴を設けた。
さらに、上記の通気穴を２〜８個設けると共に、これら通気穴の合計面積を排気口の面積とほぼ等しく形成した。
【００１０】
また、本発明に係る冷蔵庫は、凹状で底部に排水口を備え、冷却器の下方に配設されて除霜水を受ける樋を有し、該樋の底部と前記冷却器との間に、底板と周壁とからなり、該底板を前記排水口の面積より大きい範囲に切り起して前記周壁との間に開口部を形成すると共に、前記底板の排水口の投影部を除く領域に少なくとも１個の通気穴が設けられた上樋を前記樋の底部との間に空間部を介して配設したものである。
【００１１】
また、本発明に係る冷蔵庫は、凹状で底部に排水口を備え、冷却器の下方に配設されて霜取り水を受ける樋を有し、該樋の排水口及びその周辺上に、前記排水口の面積より大きいほぼ四角形の天板と周壁からなり、前記天板の前記排水口の投影部を除く領域に複数の通気穴を設けると共に、前記周壁の下端部に周壁通気穴が設けられたほぼ箱状の蓋部材を配設したものである。
【００１２】
さらに、上記のほぼ箱状の蓋部材に代えて、下部が前記排水口の面積より大きい四角形で上部がほぼ半球状に形成され、下端部に複数の周壁通気穴が設けられた断面ほぼ円弧状の蓋部材を配設した。
【００１３】
また、本発明に係る冷蔵庫は、凹状で底部に排水口を備え、冷却器の下方に配設されて霜取水を受ける樋を有し、前記樋の底部と前記冷却器との間に、前記排水口の面積より大きい面積の円板状の傘板及びストッパを有し該傘板の下面に取付けられた支持板とからなり、該支持板を前記排水口に挿入し、該排水口と前記傘板との間に所定の間隔を隔てて立設された傘部材を配設したものである。
さらに、上記の傘板をほぼ半円状に形成し、ストッパを有する支持板と一体に構成した。
【００１４】
【発明の実施の形態】
［実施の形態１］
図１は本発明の実施の形態１に係る冷蔵庫の要部を断面で示した模式図、図２は図１のＡ−Ａ断面図である。
両図において、１は冷蔵庫本体、２は冷蔵室、３は冷蔵室２の扉、４は冷蔵室２の上部に設けた冷凍室、５は冷凍室２の扉である。なお、冷蔵室２は引出しの場合もある。
【００１５】
６は冷凍室４の奥に設けた仕切り板７で仕切られた冷却器室で、８は冷却器室６に設置された冷却器、９は冷却器８で冷却された冷却気室６内の冷気を冷蔵室２へ送風する送風機である。１０は冷却器８の下方においてヒータ下カバー１１に保持され、冷却器８や冷却器室６の除霜を行うガラス管霜取りヒータである。
【００１６】
１３は底部に排水口１３ａを有し、ガラス管霜取りヒータ１０の下方に設けられて除霜水を受け流す凹状の樋、１４は樋１３上に設置された上樋、３０は樋１３の排水口１３ａに接続され、樋１３から流れた除霜水を冷蔵庫本体１の底部に設けた蒸発皿３１に排水する排水管である。なお、この排水管３０の先端開口部は、蒸発皿３１との間に若干の間隔を設けて取付けられており、直接外気に触れている。
【００１７】
上樋１４は、図３に示すように、例えば、ステンレス鋼板を曲げ加工し、あるいは合成樹脂成形品に金属箔を貼り付けてなり、平坦に形成された底板１５の長手方向の両側が斜め上方に延出され、幅側が上方に開いた周壁によってほぼ舟底形に形成されたもので、底板１５の幅は樋１３の底部の幅より広く、樋１３内に設置したときに、樋１３の底部と上樋１４の底板１５との間に空間部１３ｂが形成されるようになっている。
そして、上樋１４を樋１３内に設置したときの底板１５の樋１３の排水口１３ａの直上、すなわち、排水口１３ａの投影部１６を除く領域には、その合計面積が投影部１６の面積とほぼ等しい複数（図には４個の場合が示してある）の通気穴１７が設けられている。
【００１８】
上記のように構成した冷蔵庫においては、送風機９により冷却器室６内の冷気が冷蔵室２内に送られて冷蔵室２内を所定の温度に維持すると共に、排水管３０の先端開口部から侵入した暖気が排水管３０内を上昇し、冷却器室６の冷気によって冷却されている上樋１４に当り、屈曲して通気穴１７から冷却器室６内に侵入しようとする。このとき、樋１３と上樋１４との間の空間部１３ｂに霜が着き、通気穴１７あるいは樋１３の排水口１３ａが霜で閉塞され、冷却器室６への暖気３２の侵入が阻止される。
【００１９】
冷却器８、冷却器室６及び樋１３と上樋１４に付着し、又は樋１３の排水口１３ｂ及び通気穴１７に付着し、さらにこれらを閉塞した霜は、一定時間ごとに通電されるガラス管霜取りヒータ１０の熱により解かされて霜取水となり、樋１３から排水管３０を通って蒸発皿３１へ排水され、以後このサイクルを繰返す。
このように、本実施の形態によれば、冷却器室６への暖気の侵入は阻止されるので、効率的な冷却を行うことができる。
【００２０】
ところで、本実施の形態においては、上樋１４の底板１５に、その合計面積が樋１３の排水口１３ａの面積とほぼ等しい４つの通気穴１７を設けた場合を示したが、通気穴１７の数をそのままとしてそれぞれの面積を大きくすると、暖気３２が屈曲する際に充分冷却されないため、排水口１３ａや通気穴１７を塞ぐだけの霜が付かない。一方、通気穴１７の数を多くしてその合計面積を排水口１３ａの面積とほぼ等しくした場合は、それぞれの通気穴１７の面積が小さくなるため、霜取水の排水の際にこれに混入した汚物やヘドロなどにより塞がれて排水できなくなることがある。
このようなことから、通気穴１７は、総面積が排水口１３ａの面積とほぼ等しく、その数を２〜８個程度とすることが望ましい。
【００２１】
［実施の形態２］
図４は本発明の実施の形態２の要部を示す断面図である。本実施の形態は、舟底形の上樋１４の底板１５の中央部、したがって樋１３の排水口１３ａの直上及びその周辺に断面円弧状の凸部１５ａを形成し、底板１５の凸部１５ａを除く領域、すなわち、凸部１５ａより低い位置に複数個の通気穴１７を設けたものである。
【００２２】
上記のように構成した本実施の形態の作用及び効果は、実施の形態１の場合とほぼ同様であるが、ガラス管霜取りヒータ１０への通電によって解けた霜取水は、上樋１４の凸部１５ａの円弧面に沿って流下し、通気穴１７から排水管３０へ排水されるので、上樋１４の底部１５に除霜水が溜ることがなく、このため、余分な冷却や除霜をしなくて済む。
【００２３】
［実施の形態３］
図５は本発明の実施の形態３の要部を示す断面図、図６は図５の上樋１４の斜視図である。本実施の形態は、舟底形の上樋１５の四角形の底板１５ｂの長手方向の１辺を除く３辺を切除して切り起し、斜め上方へ延出された周壁１５ｃとの間に開口部１８を形成すると共に、底板１５ｂの開口部１８と反対側に通気穴１７を設けたものである。なお、開口部１８の大きさは、底板１５ｂの切り起し角度を変更することにより適宜調整することができる。また、底板１５ｂに１個の通気穴１７を設けた場合を示したが、２個以上設けてもよい。
【００２４】
上記のように構成した本実施形態においては、排水管３０からの暖気が冷却器室６へ侵入しようとすると、樋１３及び上樋１４、特にその底板１５ｂに冷却されて両者の間に着霜し、開口部１８及び通気孔１７が閉塞され、冷却器室６への侵入が阻止される。そして、ガラス管霜取りヒータ１０への通電により霜が解けて霜取水となり、排水管３０から排出される。
このように、本実施の形態によれば、冷却器室６への暖気の侵入が阻止されるので、効率的な冷却を行うことができる。
【００２５】
［実施の形態４］
図７は本発明の実施の形態４の要部を示す断面図、図８は図７のＢ−Ｂ断面図である。本実施の形態は、上樋１４をその幅が樋１３の底部の幅より広い長方形で平板上の金属板又は合成樹脂板で構成したもので、樋１３の排水口１３ａの投影部１６を除く領域には複数の通気穴１７が設けられている。
なお、本実施の形態においても、実施の形態２の場合と同様に、樋１３の排水口１３ａの直上及びその周辺に断面円弧状の凸部を形成してもよい。
【００２６】
上記のような上樋１４は、樋１３内に載置収容され、樋１３の底部との間に空間１３ｂを形成する。
本実施の形態の作用、効果は実施の形態１，２の場合とほぼ同様であるが、上樋１４の構造が簡単で安価であり、その上既存の冷蔵庫の樋にも設置できるので便利である。
【００２７】
［実施の形態５］
図９は本発明の実施の形態５の要部を示す断面図、図１０は図９の蓋部材の斜視図である。２０はほぼ四角形の天板２０ａと周壁２０ｂとからなるほぼ箱状の蓋部材で、天板２０ａの樋１３の排水口１３ａに対向する投影部１６を除く領域に複数の通気穴１７を設けると共に、各周壁２０ｂに周壁通気穴２１を設けたものであり、樋１３の排水口１３ａ及びその周辺上に設置される。
【００２８】
本実施の形態の作用効果も実施の形態１〜４の場合とほぼ同様であるが、実施の形態１〜３に比べて蓋部材２０の構造が簡単かつ小形で安価であり、既設の冷蔵庫の樋上にも取付けて容易に冷却効果を向上させることができる。
【００２９】
［実施の形態６］
図１１は本発明の実施の形態６の要部を示す断面図、図１２は図１１の箱部材の斜視図である。本実施の形態に係る蓋部材２０は、下端部が四角形で上面が半球状に形成され、下端部の各辺に周壁通気穴２１が設けられた断面ほぼ円弧状に形成したものである。なお、必要に応じて、上面の投影部１６を除く領域に複数の通気穴を設けてもよい。本実施の形態に係る蓋部材２０も、実施の形態５の蓋部材２０と同様に、樋１３の排気口１３ａ及びその周辺上に設置される。
本実施の形態の作用効果は、実施の形態５の場合とほぼ同様であるが、ガラス管霜取りヒータ１０への通電によって解けた霜取水は、蓋部材２０の上面円弧部に沿って流下し、側穴２１から排水されるので、樋１３内に霜取水が溜ることがない。
【００３０】
［実施の形態７］
図１３は本発明の実施の形態７の要部を示す断面図、図１４は図１３の傘部材の斜視図である。２２は傘部材で、樋１３の排水口１３ａの面積とほぼ等しいか、又はこれより大きく、排水口１３ａを覆う大きさの傘板２３と、その幅が排水口１３ａの径より広く、ストッパ２５を介して排水口１３ａの径とほぼ等しい幅狭に形成されて傘板２３に取付けられた平板上の支持板２４とからなり、支持板２２を排水口１３ａ内に挿入してストッパ２５を排水口１３ａに係止させて立設したものである。このとき、傘部材２２の傘板２３は樋１３の底部と所定の間隔を隔てて設置され、両者の間に空間部１３ｂが形成される。なお、この空間部１３ｂは支持板２４のストッパ２５の位置を調整することにより、任意の大きさに調整することができる。
【００３１】
上記のように構成した本実施の形態においては、排水管３０からの暖気が樋１３内に侵入しようとすると、樋１３及び傘部材２２に冷却されて両者の間に霜が付いて排水口１３ａが閉塞され、冷却器室６内への暖気の侵入が阻止される。そして、ガラス管霜取りヒータ１０に通電されると霜が解けて霜取水となり、排水管３０から排出される。
このように、本実施の形態によれば、冷却器室６への暖気の侵入を阻止できるので、効率的な冷却を行うことができる。また、構造が簡単で製作が容易のため安価であり、その上既設の冷蔵庫にも容易に設置することができる。
【００３２】
［実施の形態８］
図１５は本発明の実施の形態８の要部を示す断面図、図１６は図１５の傘部材の斜視図である。本実施の形態は、ほぼ半円状の傘板２３ａと、ストッパ２５を有する支持板２４とを、１枚の金属板を曲げ加工して傘部材２２を構成したもので、その作用効果は実施の形態７の場合とほぼ同様である。なお、傘部材２２は合成樹脂で一体成形してもよい。
【００３３】
【発明の効果】
（１）本発明に係る冷蔵庫は、凹状で底部に排水口を備え、冷却器の下方に配設されて除霜水を受ける樋を有し、樋の底部と冷却器との間に、底板の幅が前記樋の底部の幅より広く排水口の投影部を除く領域に複数の通気穴が設けられた上樋を樋の底部との間に空間部を介して配設し、排水管から侵入した暖気を屈曲させて冷却し、樋及び上樋に着霜させて通気穴を閉塞し、冷却器室への暖気の侵入を阻止するようにしたので、効率的な冷却を行うことができる。
【００３４】
（２）上記（１）の上樋の排水口の投影部及びその周辺に断面円弧状の凸部を形成し、この凸部より低い位置に複数の通気穴を設けたので、上記（１）の効果が得られると共に、ガラス管霜取りヒータへの通電によって解けた除霜水は、凸部の上面に沿って通気穴から排水口に流出するので、樋内及び上樋内に溜ることがない。
【００３５】
（３）上記（１）又は（２）の通気穴を２〜８個設けると共に、これら通気穴の合計面積を排気口の面積とほぼ等しく形成したので、通気穴が霜により効果的に閉塞され、冷却器室に暖気が侵入したり、ヘドロや汚物により通気穴が塞がれることもない。
【００３６】
（４）また、本発明に係る冷蔵庫は、凹状で底部に排水口を備え、冷却器の下方に配設されて除霜水を受ける樋を有し、樋の底部と冷却器との間に、底板と周壁とからなり、底部の排水口の面積より大きい範囲を切り起して周壁との間に開口部を形成すると共に、底板の排水口の投影部を除く領域に少なくとも１個の通気穴が設けられた上樋を樋の底部との間に空間部を介して配設したので、上記（１）の冷蔵庫と同様の効果を得ることができる。
【００３７】
（５）また、本発明に係る冷蔵庫は、凹状で底部に排水口を備え、冷却器の下方に配設されて霜取り水を受ける樋を有し、樋の排水口及びその周辺上に、排水口の面積より大きいほぼ四角形の天板と周壁からなり、天板の排水口の投影部を除く領域に複数の通気穴を設けると共に、周壁の下端部に複数の側部通気穴が設けられたほぼ箱状の蓋部材を配設したので、上記（１）と同様の効果を得ることができる。また、蓋部材は構造が簡単で小形のため製作費が安価であり、さらに、既設の冷蔵庫に設置して冷却効果を高めることができる。
【００３８】
（６）上記（５）のほぼ箱状の蓋部材に代えて、下部が排水口の面積より大きい四角形で上部がほぼ半球状に形成され、下端部に複数の側部通気穴が設けられた断面ほぼ円弧状の蓋部材を配設したので、上記（５）と同様の効果を得ることができ、さらに、除霜水は蓋部材の上面に沿って周壁通気穴から排水口に流出するので、樋内に溜ることがない。
【００３９】
（７）また、本発明に係る冷蔵庫は、凹状で底部に排水口を備え、冷却器の下方に配設されて霜取水を受ける樋を有し、樋の底部と冷却器との間に、排水口の面積より大きい面積の円板状の傘板及びストッパを有し傘板の下面に取付けられた支持板とからなり、支持板を排水口に挿入し、排水口と傘板との間に所定の間隔を隔てて立設された傘部材を配設したので、上記（１）と同様の効果が得られる。また、傘部材は構造が簡単で小形のため安価に製作でき、さらに、既設の冷蔵庫にも設置することができる。
【００４０】
（８）上記（７）の傘板をほぼ半円状に形成し、ストッパを有する支持板と一体に構成したので、上記（７）の効果が得られるばかりでなく製作がより簡単でコストを低減することができる。
【図面の簡単な説明】
【図１】  本発明の実施の形態１の要部を断面で示した模式図である。
【図２】  図１のＡ−Ａ断面図である。
【図３】  図１の上樋の斜視図である。
【図４】  本発明の実施の形態２の要部の断面図である。
【図５】  本発明の実施の形態３の要部の断面図である。
【図６】  図５の上樋の斜視図である。
【図７】  本発明の実施の形態４の要部の断面図である。
【図８】  図７のＢ−Ｂ断面図である。
【図９】  本発明の実施の形態５の要部の断面図である。
【図１０】  図９の蓋部材の斜視図である。
【図１１】  本発明の実施の形態６の要部の断面図である。
【図１２】  図１１の蓋部材の斜視図である。
【図１３】  本発明の実施の形態７の要部の断面図である。
【図１４】  図１３の傘部材の斜視図である。
【図１５】  本発明の実施の形態８の要部の断面図である。
【図１６】  図１５の傘部材の斜視図である。
【図１７】  従来の冷蔵庫の冷却器室周辺の一例を示す模式図である。
【符号の説明】
１  冷蔵庫本体、６  冷却器室、８  冷却器、１０  ガラス管霜取りヒータ、１３  樋、１３ａ  排水口、１３ｂ  空間部、１４  上樋、１５，１５ｂ  底部、１５ａ  凸部、１６  排水口の投影部、１７  通気穴、１８  開口部、２０  蓋部材、２１  周壁通気穴、２２  傘部材、２３，２３ａ  傘板、２４  支持板、２５  ストッパ、３０  排水管、３１  水受けトレイ、３２  暖気。
【図１】
0003731173.tif 000002
【図２】
0003731173.tif 000003
【図３】
0003731173.tif 000004
【図４】
0003731173.tif 000005
【図５】
0003731173.tif 000006
【図６】
0003731173.tif 000007
【図７】
0003731173.tif 000008
【図８】
0003731173.tif 000009
【図９】
0003731173.tif 000010
【図１０】
0003731173.tif 000011
【図１１】
0003731173.tif 000012
【図１２】
0003731173.tif 000013
【図１３】
0003731173.tif 000014
【図１４】
0003731173.tif 000015
【図１５】
0003731173.tif 000016
【図１６】
0003731173.tif 000017
【図１７】
0003731173.tif 000018